(57)【特許請求の範囲】
【請求項１】
端末との通信状況に基づいて前記端末を管理し、
管理している前記端末と共に移動して、第２のエリアを包囲する第１のエリアに入った場合、アプリ・コンテンツを提供するサービスから前記第２のエリアに対応するアプリ・コンテンツを収集し、
管理している前記端末と共に移動して前記第２のエリアに入った場合、収集したアプリ・コンテンツを管理下の前記端末に配信し、
管理している前記端末と共に前記第２のエリアを出た場合、配信したアプリ・コンテンツの削除または無効化を前記端末に指示し、
管理している前記端末と共に前記第１のエリアを出た場合、収集したアプリ・コンテンツの整理を行う、
処理をコンピュータが実行することを特徴とする情報配信方法。
【請求項２】
前記アプリ・コンテンツを収集した後、管理下の前記端末に前記第１のエリアに入ったことの通知を行い、該通知への応答としてユーザのニーズ情報を取得し、
該ニーズ情報に基づいて前記アプリ・コンテンツの選別を行う、
ことを特徴とする請求項１に記載の情報配信方法。
【請求項３】
前記アプリ・コンテンツの収集は、ネットワーク上の検索サービスまたはエリア限定放送サービスから行う、
ことを特徴とする請求項１または２に記載の情報配信方法。
【請求項４】
前記第１のエリアおよび前記第２のエリアは、移動するルートを設定したルート情報のスポット毎に設定される、
ことを特徴とする請求項１乃至３のいずれか一項に記載の情報配信方法。
【請求項５】
前記アプリ・コンテンツの収集は、予め設定された、前記サービスを特定する情報に基づいて行われる、
ことを特徴とする請求項１乃至４のいずれか一項に記載の情報配信方法。
【請求項６】
端末との通信状況に基づいて前記端末を管理し、
管理している前記端末と共に移動して、第２のエリアを包囲する第１のエリアに入った場合、アプリ・コンテンツを提供するサービスから前記第２のエリアに対応するアプリ・コンテンツを収集し、
管理している前記端末と共に移動して前記第２のエリアに入った場合、収集したアプリ・コンテンツを管理下の前記端末に配信し、
管理している前記端末と共に前記第２のエリアを出た場合、配信したアプリ・コンテンツの削除または無効化を前記端末に指示し、
管理している前記端末と共に前記第１のエリアを出た場合、収集したアプリ・コンテンツの整理を行う、
処理をコンピュータに実行させる情報配信プログラム。
【請求項７】
端末との通信状況に基づいて前記端末を管理する手段と、
管理している前記端末と共に移動して、第２のエリアを包囲する第１のエリアに入った場合、アプリ・コンテンツを提供するサービスから前記第２のエリアに対応するアプリ・コンテンツを収集する手段と、
管理している前記端末と共に移動して前記第２のエリアに入った場合、収集したアプリ・コンテンツを管理下の前記端末に配信する手段と、
管理している前記端末と共に前記第２のエリアを出た場合、配信したアプリ・コンテンツの削除または無効化を前記端末に指示する手段と、
管理している前記端末と共に前記第１のエリアを出た場合、収集したアプリ・コンテンツの整理を行う手段と、
を備えたことを特徴とする情報配信装置。
【発明の詳細な説明】
【技術分野】
【０００１】
本発明は、情報配信方法、情報配信プログラムおよび情報配信装置に関する。
【背景技術】
【０００２】
近年、スマート端末が従来のＰＣ（Personal Computer）を上回る勢いで急速に普及してきている。スマート端末には、軽いジェスチャで操作できるタッチスクリーンや、位置検出が可能なＧＰＳ（Global Positioning System）、４Ｇ（4 Generation）、ＷｉＦｉ、ＦｅｌｉＣａサービスとタッチ通信ができるＮＦＣ（Near Field Communication）といったデバイスが装備されている。スマート端末は、家族や仲間とのコミュニケーション手段等に活用され、肌身離さず持ち歩かれるモバイルギアとなっている。
【０００３】
また、観光等の場面においても、スマート端末は有用な情報を得るために活用されている。観光スポット情報等の配信には、インターネットの情報サイトから配信されるものや、地域限定エリアにてエリア限定ワンセグ放送や無線網により配信されるものがある。
【０００４】
一方、車載装置によりネットワーク上の情報提供装置から観光案内等の情報を収集する技術が知られている（特許文献１〜４等を参照。）。
【先行技術文献】
【特許文献】
【０００５】
【特許文献１】特開２００２−３４０５７１号公報
【特許文献２】特開２００４−１１０１０１号公報
【特許文献３】特開２０１３−１１７６０４号公報
【特許文献４】特開２００９−１９９７６号公報
【発明の概要】
【発明が解決しようとする課題】
【０００６】
上述したように、観光スポット情報等を取得する方法はいくつか存在するが、ユーザがスマート端末によってインターネットの情報サイトから配信される観光スポット情報等を取得する場合、ユーザは検索サイトを用いて情報を収集しなければならない。適宜更新される観光スポット情報等を、目的地を決めて事前にスマート端末にダウンロードするのは手間がかかり、ダウンロードした情報内容を確認しなければ、旅行の当日には観光イベントが終了しているということもある。目的地を途中で予定変更すると、それまでの情報収集の手間が無駄になってしまう。
【０００７】
また、ユーザがスマート端末によってエリア限定ワンセグ放送により観光スポット情報等を取得する場合、その地域に赴かなければ情報の配信を受けられず、事前に情報を取得することは困難である。
【０００８】
一方、カーナビ（カーナビケーション装置）は、自家用車や営業用タクシーにも広く搭載されている。観光スポット等を移動する時に用いる地理的位置測位情報とナビゲーションは、実用的に精度が高い。また、先行技術文献にあるように、現在位置に応じた観光スポット情報等を提供できる機能を有したカーナビも存在している。
【０００９】
しかし、カーナビを運転手以外が操作するのは困難な場合もあり、特にタクシーに搭載されているカーナビは、安全性の観点から運転手に替わって乗客が操作することはできない。運転手と乗客という関係では、運転手が運転中に乗客のニーズを汲み取り、乗客のニーズに応じたリアルタイムの情報を乗客に提供するのは困難である。
【００１０】
また、ユーザにとっては、使い慣れたスマート端末で情報を閲覧したいと欲するが、カーナビからスマート端末に情報を転送する機能がある場合であっても、その都度にカーナビと通信する操作を行わなければならないため、煩雑であり、リアルタイム性も損なわれてしまう。
【００１１】
そこで、開示の形態は、一側面では、移動に応じて自動的に情報の収集を行い、ユーザの端末に自動的に情報の配信を行うことのできる技術の提供を目的とする。
【課題を解決するための手段】
【００１２】
開示の形態は、端末との通信状況に基づいて前記端末を管理し、管理している前記端末と共に移動して、第２のエリアを包囲する第１のエリアに入った場合、アプリ・コンテンツを提供するサービスから前記第２のエリアに対応するアプリ・コンテンツを収集し、管理している前記端末と共に移動して前記第２のエリアに入った場合、収集したアプリ・コンテンツを管理下の前記端末に配信し、管理している前記端末と共に前記第２のエリアを出た場合、配信したアプリ・コンテンツの削除または無効化を前記端末に指示し、管理している前記端末と共に前記第１のエリアを出た場合、収集したアプリ・コンテンツの整理を行う、処理をコンピュータが実行する。
【発明の効果】
【００１３】
開示の形態は、移動に応じて自動的に情報の収集を行い、ユーザの端末に自動的に情報の配信を行うことができる。
【図面の簡単な説明】
【００１４】
【図１】一実施形態にかかるシステムの構成例を示す図である。
【図２】カーナビ、情報収集配信サーバおよびスマート端末のハードウェア構成例を示す図である。
【図３】カーナビ、情報収集配信サーバおよびスマート端末のソフトウェア構成例を示す図である。
【図４】エリア定義情報の例を示す図である。
【図５】ルート情報の例を示す図である。
【図６】情報配信サイト情報および情報配信スポット情報の例を示す図である。
【図７】収集キーワード情報の例を示す図である。
【図８】端末管理情報の例を示す図である。
【図９】ニーズ管理情報の例を示す図である。
【図１０】各種情報の設定の処理例を示すシーケンス図である。
【図１１】車両の移動の例を示す図である。
【図１２】第１エリアへのエリアインの際の情報収集の処理例を示すシーケンス図（その１）である。
【図１３】第１エリアへのエリアインの際の情報収集の処理例を示すシーケンス図（その２）である。
【図１４】第２エリアへのエリアインの際の情報配信の処理例を示すシーケンス図である。
【図１５】第２エリアからのエリアアウトの際の情報消去の処理例を示すシーケンス図である。
【図１６】第１エリアからのエリアアウトの際の情報整理の処理例を示すシーケンス図である。
【発明を実施するための形態】
【００１５】
以下、本発明の好適な実施形態につき説明する。
【００１６】
＜構成＞
図１は一実施形態にかかるシステムの構成例を示す図である。図１において、車両１にはカーナビ（カーナビゲーション装置）２と情報収集配信サーバ３とが設けられ、搭乗者であるユーザ（乗客、運転手を含む）の所持するスマート端末４が車両１内に存在する。なお、カーナビ２と情報収集配信サーバ３は一つの装置として一体のものとしてもよい。
【００１７】
カーナビ２は、ＧＰＳ衛星５からの信号を受信して位置情報を取得するとともに、ワンセグ／フルセグ（1/Full-seg）によるエリア限定放送サービス８を受信してアプリ・コンテンツ（アプリケーション、コンテンツ）を含む情報を取得する機能を有している。情報収集配信サーバ３は、通信ネットワーク６を介して外部検索等サービス７からアプリ・コンテンツを含む情報を取得するとともに、エリア限定放送サービス８を受信してアプリ・コンテンツを含む情報を取得し、無線通信によりスマート端末４に配信を行う機能を有している。
【００１８】
なお、情報収集配信サーバ３は、カーナビ２を介してエリア限定放送サービス８からの情報を取得する場合は、自らエリア限定放送サービス８からの情報を受信する機能を有していなくてもよい。カーナビ２が通信ネットワーク６を介して外部検索等サービス７にアクセスする機能を有していて、情報収集配信サーバ３がカーナビ２の機能により外部検索等サービス７にアクセスする場合は、情報収集配信サーバ３に通信ネットワーク６との通信機能はなくてもよい。また、位置情報の取得にＧＰＳを使用する場合について説明するが、他の手法（複数の無線基地局の電波受信強度から位置を推定する手法等）により位置情報を取得することもできる。
【００１９】
図２はカーナビ２、情報収集配信サーバ３およびスマート端末４のハードウェア構成例を示す図である。図２において、カーナビ２は、ＧＰＳ受信機２１と1/Full-segチューナ２２とディスプレイ／タッチパネル２３と操作ボタン２４とコンピュータ２５とを備えている。ＧＰＳ受信機２１は、ＧＰＳ衛星５からの信号を受信する機能を有している。1/Full-segチューナ２２は、エリア限定放送サービス８からの放送を受信する機能を有している。ディスプレイ／タッチパネル２３は、ユーザに対して情報の表示を行うとともに、ユーザからの操作を受け付ける機能を有している。操作ボタン２４は、ユーザからの操作を受け付ける機能を有している。コンピュータ２５は、ＣＰＵ（Central Processing Unit）、ＲＯＭ（Read Only Memory）、ＲＡＭ（Random Access Memory）、フラッシュメモリ等を備え、情報処理を行う機能を有している。
【００２０】
情報収集配信サーバ３は、移動無線通信アダプタ３１とＷｉＦｉ（登録商標）通信アダプタ３２とBluetooth（登録商標）アダプタ３３と1/Full-segチューナ３４とディスプレイ／タッチパネル３５と操作ボタン３６とコンピュータ３７とを備えている。移動無線通信アダプタ３１は、移動無線ネットワークに接続し、データ通信を行う機能を有している。ＷｉＦｉ通信アダプタ３２は、ＷｉＦｉ通信により周囲の装置とデータ通信を行う機能を有している。Bluetoothアダプタ３３は、Bluetooth通信により周囲の装置とデータ通信を行う機能を有している。1/Full-segチューナ３４は、エリア限定放送サービス８からの放送を受信する機能を有している。ディスプレイ／タッチパネル３５は、ユーザに対して情報の表示を行うとともに、ユーザからの操作を受け付ける機能を有している。操作ボタン３６は、ユーザからの操作を受け付ける機能を有している。コンピュータ３７は、ＣＰＵ、ＲＯＭ、ＲＡＭ、フラッシュメモリ等を備え、情報処理を行う機能を有している。
【００２１】
スマート端末４は、移動無線通信アダプタ４１とＧＰＳ受信機４２と1/Full-segチューナ４３とＷｉＦｉ通信アダプタ４４とBluetoothアダプタ４５とディスプレイ／タッチパネル４６と操作ボタン４７とコンピュータ４８とを備えている。移動無線通信アダプタ４１は、移動無線ネットワークに接続し、データ通信を行う機能を有している。ＧＰＳ受信機４２は、ＧＰＳ衛星５からの信号を受信する機能を有している。1/Full-segチューナ４３は、エリア限定放送サービス８からの放送を受信する機能を有している。ＷｉＦｉ通信アダプタ４４は、ＷｉＦｉ通信により周囲の装置とデータ通信を行う機能を有している。Bluetoothアダプタ４５は、Bluetooth通信により周囲の装置とデータ通信を行う機能を有している。ディスプレイ／タッチパネル４６は、ユーザに対して情報の表示を行うとともに、ユーザからの操作を受け付ける機能を有している。操作ボタン４７は、ユーザからの操作を受け付ける機能を有している。コンピュータ４８は、ＣＰＵ、ＲＯＭ、ＲＡＭ、フラッシュメモリ等を備え、情報処理を行う機能を有している。
【００２２】
なお、本実施形態において、コンテンツ・アプリは情報収集配信サーバ３からＷｉＦｉ通信やBluetooth通信等を経由して提供されるため、移動無線通信アダプタ４１と1/Full-segチューナ４３は積極的には用いられない。また、位置測位はカーナビ２側で行われるため、ＧＰＳ受信機４２も積極的には用いられない。
【００２３】
図３はカーナビ２、情報収集配信サーバ３およびスマート端末４のソフトウェア構成例を示す図である。図３において、カーナビ２は、位置測位部２０１とエリア判定部２０２とを備えている。位置測位部２０１は、ＧＰＳ受信機２１（図２）の受信した信号に基づき、現在の位置を測位する機能を有している。エリア判定部２０２は、予め情報収集配信サーバ３から指定されたエリアに現在の位置が入ったか出たかを判定する機能を有している。
【００２４】
情報収集配信サーバ３は、編集・設定部３０１と端末認識部３０２とイベント処理管理部３０３とニーズ管理部３０４とコンテンツ収集制御部３０５とアプリ・コンテンツ管理部３０６とプッシュ配信制御部３０７と履歴管理部３０８とを備えている。編集・設定部３０１は、管理者ユーザ（タクシーであればタクシー会社の担当者等）によりエリア定義情報、ルート情報、情報配信サイト情報、情報配信スポット情報および収集キーワード等の編集や設定を受け付ける機能を有している。各情報の詳細については後述する。
【００２５】
端末認識部３０２は、ＷｉＦｉ通信アダプタ３２（図２）等から発する報知信号への応答から近傍に存在するスマート端末４を認識し、登録する機能を有している。イベント処理管理部３０３は、カーナビ２のエリア判定部２０２にエリア情報を設定し、エリア判定部２０２の判定処理に応じ、所定のエリアに入ったこと（エリアイン）および所定のエリアから出たこと（エリアアウト）をイベントして処理する機能を有している。エリアとしては、各時点毎に次の行く先の目標となるスポットの周辺を囲む第２エリアと、その第２エリアでの情報配信の準備のために情報収集を開始する、第２エリアを囲む第１エリアとが定義される。
【００２６】
ニーズ管理部３０４は、第１エリアへのエリアインにより情報収集を行った際に、スマート端末４のユーザから欲する情報等のニーズ情報を取得する機能を有している。取得したニーズ情報は配信するアプリ／コンテンツの選別に利用される。コンテンツ収集制御部３０５は、外部検索等サービス７またはエリア限定放送サービス８からアプリ・コンテンツを含む情報を収集（取得）する機能を有している。アプリ・コンテンツ管理部３０６は、収集されたアプリ・コンテンツを含む情報を保持する機能を有している。プッシュ配信制御部３０７は、スマート端末４に対してアプリ・コンテンツをプッシュ配信（端末のＯＳが備えたプッシュ配信の仕組を利用した情報配信）する機能を有している。履歴管理部３０８は、配信を終えた情報（配信されなかった情報を含む）等を整理して履歴を作成して保持する機能を有している。
【００２７】
スマート端末４は、プッシュ受信制御部４０１とニーズ導出部４０２とアプリ・コンテンツ実行・管理部４０３とを備えている。プッシュ受信制御部４０１は、情報収集配信サーバ３のプッシュ配信制御部３０７からのプッシュ配信の受信に連動して所定の処理を行う機能を有している。ニーズ導出部４０２は、情報収集配信サーバ３のニーズ管理部３０４からの第１エリアへのエリアイン通知に応じ、ユーザにニーズの選択肢や入力手段を提供し、ユーザのニーズを受け付ける機能を有している。アプリ・コンテンツ実行・管理部４０３は、情報収集配信サーバ３のプッシュ配信制御部３０７から配信されたアプリ・コンテンツを実行してユーザに提示する機能を有している。
【００２８】
なお、図３に示した各機能は、図２に示した各装置のＣＰＵにおいて所定のプログラムが実行されることにより実現される。プログラムは記録媒体で提供されてもよいし、ネットワーク経由で提供されてもよい。
【００２９】
図４はイベント処理管理部３０３に設定されるエリア定義情報の例を示す図であり、「スポット名（エリア中心地名）」「エリア型」「第２エリア位置＃１（緯度・経度）」「第２エリア位置＃２（緯度・経度／半径（ｍ））」「第２エリアのイベント定義」「第１エリア位置＃１（緯度・経度）」「第１エリア位置＃２（緯度・経度／半径（ｍ））」「第１エリアのイベント定義」等の項目を有している。「第１エリア位置＃１（緯度・経度）」と「第１エリア位置＃２（緯度・経度／半径（ｍ））」は、エリア型がスクエア（矩形）である場合は矩形の対角の緯度・経度をそれぞれ示し、サークル（円）である場合は中心の緯度・経度と半径を示す。第２エリアについても同様である。
【００３０】
図５はイベント処理管理部３０３に設定されるルート情報の例を示す図であり、「スポットＩＤ」と「スポット名」とがルート順に列挙されている。
【００３１】
図６はアプリ・コンテンツ管理部３０６に設定される情報配信サイト情報および情報配信スポット情報の例を示す図である。情報配信サイト情報は、「優先順位」「収集サイト」「収集ポリシ情報」等の項目を有している。情報配信スポット情報は、「スポットＩＤ」「スポット名」「配信施設」「受信手段」「チャネル」等の項目を有している。
【００３２】
図７はアプリ・コンテンツ管理部３０６に設定される収集キーワード情報の例を示す図であり、「スポットＩＤ」「収集キーワード」」等の項目を有している。
【００３３】
図８は端末認識部３０２により動的に保持される端末管理情報の例を示す図であり、「端末ＩＤ」「アドレス」等の項目を有している。
【００３４】
図９はニーズ管理部３０４により動的に保持されるニーズ管理情報の例を示す図であり、「端末ＩＤ」「ニーズ情報」「スポットＩＤ」「タイムスタンプ」等の項目を有している。
【００３５】
＜動作＞
上記の実施形態の動作について説明する。
【００３６】
［各種情報の設定］
図１０は各種情報の設定の処理例を示すシーケンス図である。図１０において、管理者ユーザ（タクシーであればタクシー会社の担当者等）が情報収集配信サーバ３の編集・設定部３０１に対して編集または設定の操作を行うと（ステップＳ１）、編集・設定部３０１は、イベント処理管理部３０３にエリア定義やルート等の情報を通知する（ステップＳ２）。これを受け、イベント処理管理部３０３は、エリア定義情報（図４）およびルート情報（図５）を登録する。
【００３７】
また、、管理者ユーザが情報収集配信サーバ３の編集・設定部３０１に対して編集または設定の操作を行うと（ステップＳ３）、編集・設定部３０１は、アプリ・コンテンツ情報をアプリ・コンテンツ管理部３０６に通知する（ステップＳ４）。これを受け、アプリ・コンテンツ管理部３０６は、情報配信サイト情報・情報配信スポット情報（図６）および収集キーワード情報（図７）を登録する。
【００３８】
［移動に伴う処理］
図１１は車両１の移動の例を示す図であり、図４に示したエリア定義情報のスポット名「○○タワー」に対し設定された第１エリアと第２エリアを車両１が移動する場合を示している。
【００３９】
図１２は第１エリアへのエリアインの際の情報収集の処理例を示すシーケンス図である。すなわち、車両１が第１エリアにエリアインすると、図４のエリア定義情報の第１エリアのイベント定義「エリアイン：収集」に応じてアプリ・コンテンツ情報の収集処理が実施される。
【００４０】
図１２において、車両１に搭載されたカーナビ２の位置測位部２０１は、ＧＰＳ受信機２１から周期的に車両位置情報を取得し（ステップＳ１０１、Ｓ１０３）、エリア判定部２０２に車両位置情報を通知する（ステップＳ１０２、Ｓ１０４）。
【００４１】
エリア判定部２０２は、車両位置情報を図４のエリア定義情報のスポット名「○○タワー」の第１エリア位置＃１と第１エリア位置＃２により定義される範囲と照合し、第１エリアにエリアインしたと判定すると、第１エリアへのエリアインというイベントを情報収集配信サーバ３のイベント処理管理部３０３に通知する（ステップＳ１０５）。
【００４２】
イベント処理管理部３０３は、図４のエリア定義情報の第１エリアのイベント定義「エリアイン：収集」に基づき、収集処理通知をコンテンツ収集制御部３０５に通知する（ステップＳ１０６）。
【００４３】
コンテンツ収集制御部３０５は、図６の情報配信サイト情報を基に、外部検索等サービス７に対してアプリ・コンテンツの検索と収集を行う（ステップＳ１０７）。この時、図７の収集キーワード情報も活用される。
【００４４】
イベント処理管理部３０３は、並行して、ニーズ管理部３０４にエリアインしたエリア名等を通知する（ステップＳ１０８）。ニーズ管理部３０４は、スマート端末４のニーズ導出部４０２にエリア名等を通知する（ステップＳ１０９）。この通知によって、車両１の乗客や運転手は、例えば、所持しているスマート端末４の通知ベルや振動等により車両コンテキスト（車両の現在位置等の状況）が変わったことに気づき、スマート端末４を覗くことで、ニーズ導出部４０２がエリア名等を表示しながらニーズ情報の入力（ステップＳ１１０）を求めることができる。
【００４５】
ここでユーザのニーズ情報の入力に関して説明する。ニーズ導出部４０２は、例えば、エリア名等を表示して、選択メニューからユーザに選択させることで、これをニーズ情報として取得することができる。また、例えば、テキスト入力や音声入力により、ニーズ情報を取得することも可能である。更には、自然言語で書かれた文を言語として意味を持つ最小単位である形態素に分解する技術である周知の形態素解析を用いて、ニーズ情報を抽出することも可能である。ユーザから取得したニーズ情報の例は図９に示した通りである。
【００４６】
図１２に戻り、ニーズ導出部４０２は、取得したニーズ情報等を、端末ＩＤ等と紐付けして、情報収集配信サーバ３のニーズ管理部３０４に通知する（ステップＳ１１１）。ニーズ管理部３０４は、ニーズ導出部４０２から取得したニーズ情報を登録して管理する。
【００４７】
コンテンツ収集制御部３０５は、ニーズ管理部３０４からニーズ情報を取得し（ステップＳ１１２）、収集したアプリ・コンテンツ情報をニーズ情報でフィルタリング（選別）して配信情報を生成し（ステップＳ１１３）、アプリ・コンテンツ管理部３０６に格納する（ステップＳ１１４）。
【００４８】
図１３は第１エリアへのエリアインの際の情報収集の他の処理例を示すシーケンス図であり、アプリ・コンテンツの検索・収集にあたり、外部検索等サービス７だけでなくエリア限定放送サービス８からも検索・収集を行うようにしている。
【００４９】
図１３において、イベント処理管理部３０３からコンテンツ収集制御部３０５に収集処理通知（ステップＳ２０６）が行われるまでは図１２の処理と同様である。その後、コンテンツ収集制御部３０５は、図６の情報配信サイト情報・情報配信スポット情報を基に、外部検索等サービス７とエリア限定放送サービス８の両方に対してアプリ・コンテンツの検索と収集を行う（ステップＳ２０７、Ｓ２０８）。この時、図７の収集キーワード情報も活用される。その後の処理は、図１２の処理と同様である。
【００５０】
図１４は第２エリアへのエリアインの際の情報配信の処理例を示すシーケンス図である。すなわち、車両１が第２エリアにエリアインすると、図４のエリア定義情報の第２エリアのイベント定義「エリアイン：配信」に応じてアプリ・コンテンツ情報の配信処理が実施される。
【００５１】
図１４において、車両１に搭載されたカーナビ２の位置測位部２０１は、ＧＰＳ受信機２１から周期的に車両位置情報を取得し（ステップＳ３０１、Ｓ３０３）、エリア判定部２０２に車両位置情報を通知する（ステップＳ３０２、Ｓ３０４）。
【００５２】
エリア判定部２０２は、車両位置情報を図４のエリア定義情報のスポット名「○○タワー」の第２エリア位置＃１と第２エリア位置＃２により定義される範囲と照合し、第２エリアにエリアインしたと判定すると、第２エリアへのエリアインというイベントを情報収集配信サーバ３のイベント処理管理部３０３に通知する（ステップＳ３０５）。
【００５３】
イベント処理管理部３０３は、図４のエリア定義情報の第２エリアのイベント定義「エリアイン：配信」に基づき、配信処理通知をプッシュ配信制御部３０７に通知する（ステップＳ３０６）。
【００５４】
プッシュ配信制御部３０７は、アプリ・コンテンツ管理部３０６にアクセスしてアプリ・コンテンツを取得し（ステップＳ３０７）、各スマート端末４のプッシュ受信制御部４０１を経由して、アプリ・コンテンツ実行・管理部４０３にアプリ・コンテンツを配信する（ステップＳ３０８、Ｓ３０９）。配信されたアプリ・コンテンツは、自動で起動され、スマート端末４に表示される状態に移ることも可能である。従って、スマート端末４のユーザに対して、配信されたアプリ・コンテンツを、目的地へ到着する丁度良いタイミングで活用してもらうことができる。また、スマート端末４では自ら検索等を行ってアプリ・コンテンツを取得する必要がないため、バッテリの消耗も少なくなり、観光地での写真撮影等にバッテリの残量を有効に使用することができる。
【００５５】
図１５は第２エリアからのエリアアウトの際の情報消去の処理例を示すシーケンス図である。すなわち、車両１が第２エリアからエリアアウトすると、図４のエリア定義情報の第２エリアのイベント定義「エリアアウト：消去」に応じてアプリ・コンテンツ情報の消去処理が実施される。
【００５６】
図１５において、車両１に搭載されたカーナビ２の位置測位部２０１は、ＧＰＳ受信機２１から周期的に車両位置情報を取得し（ステップＳ４０１、Ｓ４０３）、エリア判定部２０２に車両位置情報を通知する（ステップＳ４０２、Ｓ４０４）。
【００５７】
エリア判定部２０２は、車両位置情報を図４のエリア定義情報のスポット名「○○タワー」の第２エリア位置＃１と第２エリア位置＃２により定義される範囲と照合し、第２エリアからエリアアウトしたと判定すると、第２エリアからのエリアアウトというイベントを情報収集配信サーバ３のイベント処理管理部３０３に通知する（ステップＳ４０５）。
【００５８】
イベント処理管理部３０３は、図４のエリア定義情報の第２エリアのイベント定義「エリアアウト：消去」に基づき、消去処理通知をプッシュ配信制御部３０７に通知する（ステップＳ４０６）。
【００５９】
プッシュ配信制御部３０７は、各スマート端末４のプッシュ受信制御部４０１を経由して、アプリ・コンテンツ実行・管理部４０３にアプリ・コンテンツの消去指示を行う（ステップＳ４０７、Ｓ４０８）。アプリ・コンテンツ実行・管理部４０３は、既に配信されているアプリ・コンテンツを消去する（ステップＳ４０９）。これにより、スマート端末４に自動で配信されたアプリ・コンテンツは自動で後始末され、ユーザが無用となったアプリ・コンテンツに迷わされることを防ぐことができる。
【００６０】
図１６は第１エリアからのエリアアウトの際の情報整理の処理例を示すシーケンス図である。すなわち、車両１が第１エリアからエリアアウトすると、図４のエリア定義情報の第１エリアのイベント定義「エリアアウト：整理」に応じてアプリ・コンテンツ情報の整理処理が実施される。
【００６１】
図１６において、車両１に搭載されたカーナビ２の位置測位部２０１は、ＧＰＳ受信機２１から周期的に車両位置情報を取得し（ステップＳ５０１、Ｓ５０３）、エリア判定部２０２に車両位置情報を通知する（ステップＳ５０２、Ｓ５０４）。
【００６２】
エリア判定部２０２は、車両位置情報を図４のエリア定義情報のスポット名「○○タワー」の第１エリア位置＃１と第１エリア位置＃２により定義される範囲と照合し、第１エリアからエリアアウトしたと判定すると、第１エリアからのエリアアウトというイベントを情報収集配信サーバ３のイベント処理管理部３０３に通知する（ステップＳ５０５）。
【００６３】
イベント処理管理部３０３は、図４のエリア定義情報の第１エリアのイベント定義「エリアアウト：整理」に基づき、整理処理通知を履歴管理部３０８に通知する（ステップＳ５０６）。
【００６４】
履歴管理部３０８は、アプリ・コンテンツ管理部３０６に格納されているアプリ・コンテンツを取得し（ステップＳ５０７）、履歴を作成する（ステップＳ５０８）。同様に、履歴管理部３０８は、ニーズ管理部３０４のニーズ情報やイベント処理管理部３０３のイベント情報（発生したイベントを示す情報）を取得し（ステップＳ５０９、Ｓ５１１）、それらの履歴を作成する（ステップＳ５１０、Ｓ５１２）。こうして整理された情報は、乗客の観光行動等の分析に活用することができ、例えば、タクシー運転手のサービスの向上にも活用することができる。
【００６５】
＜総括＞
以上説明したように、本実施形態によれば、移動に応じて自動的に情報の収集を行い、ユーザの端末に自動的に情報の配信を行うことができる。
【００６６】
以上、好適な実施の形態により説明した。ここでは特定の具体例を示して説明したが、特許請求の範囲に定義された広範な趣旨および範囲から逸脱することなく、これら具体例に様々な修正および変更を加えることができることは明らかである。すなわち、具体例の詳細および添付の図面により限定されるものと解釈してはならない。
【００６７】
スマート端末４は「端末」の一例である。外部検索等サービス７またはエリア限定放送サービス８は「サービス」の一例である。
【００６８】
以上の説明に関し、更に以下の項を開示する。
（付記１）  端末との通信状況に基づいて前記端末を管理し、
管理している前記端末と共に移動して、第２のエリアを包囲する第１のエリアに入った場合、アプリ・コンテンツを提供するサービスから前記第２のエリアに対応するアプリ・コンテンツを収集し、
管理している前記端末と共に移動して前記第２のエリアに入った場合、収集したアプリ・コンテンツを管理下の前記端末に配信し、
管理している前記端末と共に前記第２のエリアを出た場合、配信したアプリ・コンテンツの削除または無効化を前記端末に指示し、
管理している前記端末と共に前記第１のエリアを出た場合、収集したアプリ・コンテンツの整理を行う、
処理をコンピュータが実行することを特徴とする情報配信方法。
（付記２）  前記アプリ・コンテンツを収集した後、管理下の前記端末に前記第２のエリアに入ったことの通知を行い、該通知への応答としてユーザのニーズ情報を取得し、
該ニーズ情報に基づいて前記アプリ・コンテンツの選別を行う、
ことを特徴とする付記１に記載の情報配信方法。
（付記３）  前記アプリ・コンテンツの収集は、ネットワーク上の検索サービスまたはエリア限定放送サービスから行う、
ことを特徴とする付記１または２に記載の情報配信方法。
（付記４）  前記第１のエリアおよび前記第２のエリアは、移動するルートを設定したルート情報のスポット毎に設定される、
ことを特徴とする付記１乃至３のいずれか一項に記載の情報配信方法。
（付記５）  前記アプリ・コンテンツの収集は、予め設定された、前記サービスを特定する情報に基づいて行われる、
ことを特徴とする付記１乃至４のいずれか一項に記載の情報配信方法。
（付記６）  端末との通信状況に基づいて前記端末を管理し、
管理している前記端末と共に移動して、第２のエリアを包囲する第１のエリアに入った場合、アプリ・コンテンツを提供するサービスから前記第２のエリアに対応するアプリ・コンテンツを収集し、
管理している前記端末と共に移動して前記第２のエリアに入った場合、収集したアプリ・コンテンツを管理下の前記端末に配信し、
管理している前記端末と共に前記第２のエリアを出た場合、配信したアプリ・コンテンツの削除または無効化を前記端末に指示し、
管理している前記端末と共に前記第１のエリアを出た場合、収集したアプリ・コンテンツの整理を行う、
処理をコンピュータに実行させる情報配信プログラム。
（付記７）  前記アプリ・コンテンツを収集した後、管理下の前記端末に前記第２のエリアに入ったことの通知を行い、該通知への応答としてユーザのニーズ情報を取得し、
該ニーズ情報に基づいて前記アプリ・コンテンツの選別を行う、
付記６に記載の情報配信プログラム。
（付記８）  前記アプリ・コンテンツの収集は、ネットワーク上の検索サービスまたはエリア限定放送サービスから行う、
付記６または７に記載の情報配信プログラム。
（付記９）  前記第１のエリアおよび前記第２のエリアは、移動するルートを設定したルート情報のスポット毎に設定される、
付記６乃至８のいずれか一項に記載の情報配信プログラム。
（付記１０）  前記アプリ・コンテンツの収集は、予め設定された、前記サービスを特定する情報に基づいて行われる、
付記６乃至９のいずれか一項に記載の情報配信プログラム。
（付記１１）  端末との通信状況に基づいて前記端末を管理する手段と、
管理している前記端末と共に移動して、第２のエリアを包囲する第１のエリアに入った場合、アプリ・コンテンツを提供するサービスから前記第２のエリアに対応するアプリ・コンテンツを収集する手段と、
管理している前記端末と共に移動して前記第２のエリアに入った場合、収集したアプリ・コンテンツを管理下の前記端末に配信する手段と、
管理している前記端末と共に前記第２のエリアを出た場合、配信したアプリ・コンテンツの削除または無効化を前記端末に指示する手段と、
管理している前記端末と共に前記第１のエリアを出た場合、収集したアプリ・コンテンツの整理を行う手段と、
を備えたことを特徴とする情報配信装置。
（付記１２）  前記アプリ・コンテンツを収集した後、管理下の前記端末に前記第２のエリアに入ったことの通知を行い、該通知への応答としてユーザのニーズ情報を取得し、
該ニーズ情報に基づいて前記アプリ・コンテンツの選別を行う、
ことを特徴とする付記１１に記載の情報配信装置。
（付記１３）  前記アプリ・コンテンツの収集は、ネットワーク上の検索サービスまたはエリア限定放送サービスから行う、
ことを特徴とする付記１１または１２に記載の情報配信装置。
（付記１４）  前記第１のエリアおよび前記第２のエリアは、移動するルートを設定したルート情報のスポット毎に設定される、
ことを特徴とする付記１１乃至１３のいずれか一項に記載の情報配信装置。
（付記１５）  前記アプリ・コンテンツの収集は、予め設定された、前記サービスを特定する情報に基づいて行われる、
ことを特徴とする付記１１乃至１４のいずれか一項に記載の情報配信装置。
【符号の説明】
【００６９】
１          車両
２          カーナビ
２０１      位置測位部
２０２      エリア判定部
２１        ＧＰＳ受信機
２２        1/Full-segチューナ
２３        ディスプレイ／タッチパネル
２４        操作ボタン
２５        コンピュータ
３          情報収集配信サーバ
３０１      編集・設定部
３０２      端末認識部
３０３      イベント処理管理部
３０４      ニーズ管理部
３０５      コンテンツ収集制御部
３０６      アプリ・コンテンツ管理部
３０７      プッシュ配信制御部
３０８      履歴管理部
３１        移動無線通信アダプタ
３２        ＷｉＦｉ通信アダプタ
３３        Bluetoothアダプタ
３４        1/Full-segチューナ
３５        ディスプレイ／タッチパネル
３６        操作ボタン
３７        コンピュータ
４          スマート端末
４０１      プッシュ受信制御部
４０２      ニーズ導出部
４０３      アプリ・コンテンツ実行・管理部
４１        移動無線通信アダプタ
４２        ＧＰＳ受信機
４３        1/Full-segチューナ
４４        ＷｉＦｉ通信アダプタ
４５        Bluetoothアダプタ
４６        ディスプレイ／タッチパネル
４７        操作ボタン
４８        コンピュータ
５          ＧＰＳ衛星
６          通信ネットワーク
７          外部検索等サービス
８          エリア限定放送サービス
【図１】
0006520535.tif 000002
【図２】
0006520535.tif 000003
【図３】
0006520535.tif 000004
【図４】
0006520535.tif 000005
【図５】
0006520535.tif 000006
【図６】
0006520535.tif 000007
【図７】
0006520535.tif 000008
【図８】
0006520535.tif 000009
【図９】
0006520535.tif 000010
【図１０】
0006520535.tif 000011
【図１１】
0006520535.tif 000012
【図１２】
0006520535.tif 000013
【図１３】
0006520535.tif 000014
【図１４】
0006520535.tif 000015
【図１５】
0006520535.tif 000016
【図１６】
0006520535.tif 000017